(57)【要約】【課題】  携帯機器用充電装置において、給電端子への塵埃の付着を防止する。【解決手段】  携帯機器を装着する受け入れ部６に開口部７が設けられており、この開口部７から給電端子８の接点部８ａが受け入れ部６内に突出し、携帯機器が装着されたときその受電端子に接点部８ａが接触するようになっている。受け入れ部６の後面に、上下方向にスライドする蓋部材１２を設け、常には蓋部材１２により開口部７を閉じておく。これにより給電端子８への塵埃の付着が防止される。携帯機器を装着すると、蓋部材１２がその重量を受けて下方にスライドし、開口部７を開く。【選択図】  図１
2006325320.tif 000002
【特許請求の範囲】
【請求項１】
携帯機器を装着する装着部を有した本体と、
前記本体内に設けられ、前記装着部に形成された開口部から前記装着部側に突出して前記装着部に装着された前記携帯機器の受電端子に接触し前記携帯機器が有する二次電池を充電する給電端子と、
を備えた携帯機器用充電装置において、
前記携帯機器の非装着時に、前記給電端子よりも前記装着部側において前記給電端子を覆うことにより、前記給電端子に塵埃が付着することを防止する防塵装置を設けたことを特徴とする携帯機器用充電装置。
【請求項２】
請求項１記載の携帯機器用充電装置において、
前記給電端子は、前記開口部を通じて前記装着部に対して出没可能に構成されると共に、前記防塵装置は、前記開口部を開閉可能な蓋部材から構成され、
前記携帯機器の非装着時において、前記給電端子は、前記本体内側へ没し、前記蓋部材は、前記開口部を閉じて前記給電端子への塵埃の付着を防止することを特徴とする携帯機器用充電装置。
【請求項３】
請求項２記載の携帯機器用充電装置において、
前記蓋部材を前記開口部を閉じる方向に付勢する付勢手段が設けられ、
前記蓋部材は、前記携帯機器の非装着時において、前記付勢手段の付勢力により前記開口部を閉じた位置に保持され、前記携帯機器が前記装着部に装着されると、前記携帯機器の重量により前記付勢手段の付勢力に抗して動作して前記開口部を開くことを特徴とする携帯機器用充電装置。
【請求項４】
請求項３記載の携帯機器用充電装置において、
前記本体に、前記蓋部材の開閉動作に連動して往復動する連動部材を設け、前記連動部材は、前記蓋部材の前記開口部を閉じる動作に連動する動作によって前記給電端子を前記本体内へ没入させるように構成されていることを特徴とする携帯機器用充電装置。
【請求項５】
請求項２または３記載の携帯機器用充電装置において、
前記蓋部材は、前記開口部を開く方向に動作するとき、前記給電端子を前記開口部から前記装着部側に突出する方向に変位させる第１のカム部と、前記開口部を閉じる方向に動作するとき、前記給電端子を前記装着部から前記本体内側へ没する方向に変位させる第２のカム部とを有することを特徴とする携帯機器用充電装置。
【請求項６】
請求項２または３記載の携帯機器用充電装置において、
前記蓋部材は、前記給電端子とは非接触で前記開口部を開閉することを特徴とする携帯機器用充電装置。
【請求項７】
請求項１記載の携帯機器用充電装置において、
前記防塵装置は、前記装着部の前記開口部を形成した面に重ねられたとき、前記開口部に連なるスリットを有した覆い部材から構成され、
前記覆い部材は、前記開口部を上方から覆う位置と、前記装着部の前記開口部を形成した面に重ねられて前記給電端子を前記スリットから突出させて前記給電端子が前記装着部に装着された前記携帯機器の前記受電端子に接触可能にする位置との間で往復動可能に設けられていることを特徴とする請求項１記載の携帯機器用充電装置。
【請求項８】
請求項７記載の携帯機器用充電装置において、
前記覆い部材を前記開口部を上方から覆う位置に保持する付勢手段を設け、
前記覆い部材は、前記装着部に前記携帯機器が装着されると、前記携帯機器の重量により前記装着部の前記開口部を形成した面に重なるように変位するように構成されていることを特徴とする携帯機器用充電装置。
【請求項９】
請求項７または８記載の携帯機器用充電装置において、
前記覆い部材には、前記スリットから前記給電端子が突出する際に前記給電端子に接する掃除部材が設けられていることを特徴とする携帯機器用充電装置。
【請求項１０】
請求項９記載の携帯機器用充電装置において、
前記掃除部材は、回転自在なブラシから構成されていることを特徴とする携帯機器用充電装置。
【発明の詳細な説明】
【技術分野】
【０００１】
本発明は、携帯機器が装着されると、給電端子を携帯機器の受電端子に接触させて携帯機器が有する二次電池を充電する携帯機器用充電装置に関する。
【背景技術】
【０００２】
この種の充電装置としては、例えば特許文献１に記載されたものがある。これは、携帯機器を筺体上に横置きするタイプのもので、携帯機器を筺体上に置くと、筺体内に設けられた一対の給電端子がリンク機構によって筺体の上面に形成された開口部から上部外方に突出して携帯機器の受電端子に接触し、携帯機器の二次電池を充電するという構成のものである。
【特許文献１】特開２００３−９４０９
【発明の開示】
【発明が解決しようとする課題】
【０００３】
特許文献１に記載された充電装置では、給電端子が出入する開口部は、上を向いているため、空気中に浮遊する塵埃がその開口部から筺体内に侵入する恐れがある。充電装置の
給電端子は、非充電時にあっては、筺体の開口部から外部に突出しているわけではないが、接点部分が開口部内に位置しているため、空気中を浮遊する塵埃が開口部に臨んでいる給電端子の接点部分に付着する恐れがある。給電端子の接点部分に付着した塵埃は、長期使用により接点部分に次第に蓄積され、携帯機器の受電端子との電気的接触に障害を及ぼし、充電機能が損なわれるという恐れがある。
【０００４】
このような給電端子への塵埃の付着は、給電端子を外部に突出させるための開口部が上向きである場合に起きやすい。しかしながら、空気中を浮遊する塵埃は、空気の流れによってどのようにでも動くので、開口部が上向きである場合に限らず、横向きであっても、更にいえば下向きであっても、空気の流れ具合によっては、開口部に臨む給電端子に付着する可能性は十分にある。
【０００５】
本発明は上記の事情に鑑みてなされたもので、その目的は、給電端子への塵埃の付着を防止することができる携帯機器用充電装置を提供することにある。
【課題を解決するための手段】
【０００６】
上記の目的を達成するために、請求項１記載の発明は、携帯機器の非装着時に、給電端子よりも携帯機器を装着する装着部側において給電端子を覆う防塵装置を設けたので、給電端子に塵埃が付着することを防止できる（請求項１）。
【０００７】
この請求項１の場合、請求項２のように、前記給電端子を、前記装着部に形成された開口部を通じて出没可能に構成すると共に、前記防塵装置を、前記開口部を開閉可能な蓋部材から構成し、前記携帯機器の非装着時において、前記給電端子は、前記装着部を有した本体内側へ没し、前記蓋部材は、前記開口部を閉じて前記給電端子への塵埃の付着を防止する構成を採用することができる。
この構成によれば、携帯機器の非装着時に給電端子が本体内に没し、そして、給電端子が没した後の開口部を蓋部材が閉じるので、給電端子への塵埃の付着をより確実に防止することができる。
【０００８】
この請求項２の構成において、前記蓋部材を開口部を閉じる方向に付勢する付勢手段を設け、携帯機器の非装着時において、蓋部材は前記付勢手段の付勢力により開口部を閉じた位置に保持され、携帯機器が装着部に装着されると、蓋部材が携帯機器の重量により付勢手段の付勢力に抗して動作して開口部を開くように構成することができる（請求項３）。
このように構成すれば、蓋部材による開口部の開閉を、携帯機器を装着部に着脱することに合わせて自動的に行わせることができるので、使用者による開閉操作を要さない。
【０００９】
更に、この請求項３の構成において、前記本体に、前記蓋部材の開閉動作に連動して往復動する連動部材を設け、前記連動部材が、前記蓋部材の前記開口部を閉じる動作に連動する動作によって前記給電端子を前記本体内へ没入させるように構成することができる（請求項４）。
この構成によれば、連動部材によって給電端子を本体内に没入させるので、蓋部材自身が給電端子に接触して強制的に本体内に没入させる構成とは異なり、給電端子に無理な力が作用することを未然に防止でき、給電端子の変形などを防止することができる。
【００１０】
上記請求項２または３において、前記蓋部材は、前記開口部を開く方向に動作するとき、前記給電端子を前記開口部から前記装着部側に突出する方向に変位させる第１のカム部と、前記開口部を閉じる方向に動作するとき、前記給電端子を前記装着部から前記本体内側へ没する方向に変位させる第２のカム部とを有するものとすることができる（請求項５）。
このように構成しても、請求項４と同様に、給電端子に無理な力が作用しないようにすることができる。
【００１１】
また、前記請求項２または３において、前記蓋部材は、前記給電端子とは非接触で前記開口部を開閉する構成を採用することができる（請求項６）。
例えば、開口部から給電端子が装着部側へ突出したままの状態で、蓋部材がその給電端子を上方から覆うようにすることによって、給電端子に無理な力を加えて本体内へ没入させなくとも済むようになる。
【００１２】
また、本発明では、請求項７のように、前記防塵装置は、前記装着部の前記開口部を形成した面に重ねられたとき、前記開口部に連なるスリットを有した覆い部材から構成され、前記覆い部材は、前記開口部を上方から覆う位置と、前記装着部の前記開口部を形成した面に重ねられて前記給電端子を前記スリットから突出させて前記給電端子が前記装着部に装着された前記携帯機器の前記受電端子に接触可能にする位置との間で往復動可能に設けられている構成を採用することができる。
このように構成しても、給電端子に塵埃が付着することを蓋部材によって防止することができる。
【００１３】
この請求項７において、使用者が蓋部材を操作する必要をなくすために、前記覆い部材を前記開口部を上方から覆う位置に保持する付勢手段を設け、前記覆い部材は、前記装着部に前記携帯機器が装着されると、前記携帯機器の重量により前記装着部の前記開口部を形成した面に重なるように変位するように構成することができる（請求項８）。
【００１４】
上記請求項７または８において、前記覆い部材には、前記スリットから前記給電端子が突出する際に前記給電端子に接する掃除部材を設けることができる（請求項９）。
この構成によれば、給電端子を掃除部材によって掃除することができるので、給電端子と受電端子との接触抵抗を減らすことができる。
【００１５】
前記掃除部材は、回転自在なブラシから構成することができる（請求項１０）。
掃除部材が回転自在なブラシであれば、給電端子との接触によってブラシが回転するので、同じ個所で給電端子を掃除することが防止され、掃除効果が向上する。
【発明を実施するための最良の形態】
【００１６】
［第１の実施形態］
以下、本発明の第１の実施形態を図１〜図６に基づいて説明する。この実施形態は、ハンディ型バーコード読取装置（以下、ＢＨＴと称する。）の充電装置に適用したものである。まず、携帯機器としてのＢＨＴ１は、図３および図６に示すように、前面の下半部に各種のキー２を配列し、また、後部の下端部分には、一対の受電端子３，３が設けられている。このＢＨＴ１は、動作電源として電池（図示せず）を内蔵している。この電池は、充電が可能な二次電池からなる。
【００１７】
図１には、ＢＨＴ１の二次電池を充電するための充電装置４が示されている。この充電装置４の本体５はプラスチック製で、この本体５には、ＢＨＴ１の下半部を受け入れて該ＢＨＴ１を保持するための装着部として機能する凹状の受け入れ部６が形成されている。受け入れ部６の後面下部には、１個の矩形状の開口部７が形成されており、本体５内に設けられた一対の給電端子８，８の接点部８ａ，８ａがこの開口部７から受け入れ部６内に突出可能になっている。この一対の給電端子８，８は、本体５内の充電回路（図示せず）に接続され、ＢＨＴ１の受電端子３，３に接触して二次電池への充電を行う。
【００１８】
前記給電端子８，８は、ばね線製で、前記接点部８ａ，８ａは山形に屈曲形成されている。接点部８ａ，８ａの一端部には、ねじりコイル部８ｂ，８ｂが形成されており、このねじりコイル部８ｂ，８ｂは、本体５内に設けられた軸部９に嵌合されている。このねじりコイル部８ｂ，８ｂの軸部９への嵌合により、給電端子８，８は、軸部９を中心に受け入れ部６に対して出没方向である矢印Ａ方向および矢印Ｂ方向へ回動可能となる。
【００１９】
ねじりコイル部８ｂ，８ｂの巻き端８ｃ，８ｃは、本体５に形成された掛け部１０に引っ掛けられている。これにより、ねじりコイル部８ｂ，８ｂは、給電端子８，８全体を矢印Ａで示す突出方向に付勢する付勢力が生じ、この付勢力によって給電端子８，８が矢印Ａ方向に回動付勢されて接点部８ａ，８ａを開口部７から受け入れ部６内に突出させる。
【００２０】
本体５内の一対の給電端子８，８間には、連動部材１１が配設されている。この連動部材１１は、山形に屈曲形成された摺接部１１ａの一端部に筒部１１ｂを形成すると共に、他端部に押圧部１１ｃを左右両側に突出するように形成してなる。この連動部材１１の筒部１１ｂは、前記軸部９に嵌合されており、これにより連動部材１１が軸部９を中心にして矢印Ａ方向および矢印Ｂ方向に回動できるようになっている。この連動部材１１を軸部９に支持させた状態では、その押圧部１１ｃは、一対の給電端子８，８の接点部８ａ，８ａの先端部に形成された係止部８ｄ，８ｄの上方（開口部７側）に位置されている。
【００２１】
押圧部１１ｃが係止部８ｄ，８ｄの上方に位置されることにより、給電端子８，８がねじりコイル部８ｂ，８ｂの付勢力によって矢印Ａ方向に回動するとき、押圧部１１ｃに給電端子８，８の係止部８ｄ，８ｄが後方から当接して連動部材１１を給電端子８，８と一緒に矢印Ａ方向に回動させる。これにより、給電部材８，８の接点部８ａ，８ａばかりでなく、連動部材１１の摺接部１１ａも開口部７から受け入れ部６内に突出する。
【００２２】
このときの接点部８ａ，８ａおよび摺接部１１ａの受け入れ部６内への突出量は、接点部８ａ，８ａの先端部の係止部８ｄ，８ｄが連動部材１１の押圧部１１ｃを介して開口部７の下端部裏面に当接して給電端子８，８の矢印Ａ方向への回動を規制することによって規制される。そして、この規制された接点部８ａ，８ａおよび摺接部１１ａの受け入れ部６内への突出量は、摺接部１１ａの方が接点部８ａ，８ａよりも多く（高く）なっている。
【００２３】
受け入れ部６内の後部下方には、防塵装置としての蓋部材１２が受け入れ部６の後面に接して上下方向にスライド可能に配設されている。そして、蓋部材１２は、その上下方向のスライドによって開口部７を開閉するようになっている。蓋部材１２の下端部には、受け入れ部６に挿入されたＢＨＴ１を受ける台部１２ａが形成されており、この台部１２ａと受け入れ部６の底面との間には、蓋部材１２を上方に付勢する付勢手段としての圧縮コイルばね１３が設けられている。
【００２４】
蓋部材１２は、圧縮コイルばね１３の付勢力により、常には、開口部７を閉じる位置に押し上げられた状態にある。開口部７が蓋部材１２によって閉じられた状態では、連動部材１１の摺接部１１ａが蓋部材１２に押圧されて矢印Ｂ方向に回動された状態、つまり本体５内に没した状態にある。そして、連動部材１１は、この矢印Ｂ方向の回動に伴って押圧部１１ｃにより給電端子８，８の係止部８ｄ，８ｄを押圧した状態にあり、これにより、給電端子８、８は連動部材１１により矢印Ｂ方向に回動されて本体５内に没した状態にある。
【００２５】
蓋部材１２には、台部１２ａから該台部１２ａの上方にわたって受け入れ部６の開口部７と同程度の大きさの開口部１４が形成されている。そして、受け入れ部６内にＢＨＴ１が挿入されると、蓋部材１２は、そのＢＨＴ１の重量を台部１２ａにて受けることにより、圧縮コイルばね１３の付勢力に抗して下方にスライドし、自身の開口部１４を受け入れ部６の開口部７に合致させて当該開口部７を開く。
【００２６】
開口部７が開かれると、給電端子８，８がねじりコイル部８ｂ，８ｂの付勢力によって突出方向である矢印Ａ方向に回動して接点部８ａ，８ａをＢＨＴ１の受電端子３，３に接触させる。このとき、接点部８ａ，８ａよりも多く受け入れ部６内に突出する連動部材１１の摺接部１１ａがＢＨＴ１に当接して接点部８ａ，８ａが受電端子３，３に接触するまで矢印Ａ方向に回動しなくなることを防止するために、図６に示すように、ＢＨＴ１の裏面の下方部には、一対の受電端子３，３間に位置して溝１５が形成されている。
【００２７】
次に上記構成の作用を説明する。
ＢＨＴ１を受け入れ部６に挿入していない状態（非充電）にあるとき、図１および図２に示すように、受け入れ部６の開口部７は、蓋部材１２によって閉じられている。このため、塵埃が給電端子８，８に付着することが防止され、接点部８ａ，８ａが受電端子３，３に接触したとき、その電気的接触に支障が生ずることはない。
【００２８】
ＢＨＴ１の二次電池を充電すべく、ＢＨＴ１を充電装置４の本体５の受け入れ部６内に挿入する。すると、ＢＨＴ１が蓋部材１２の台部１２ａに乗せられるようになるため、蓋部材１２が圧縮コイルばね１３の付勢力に抗して下方にスライドし、受け入れ部６の開口部７を開く。すると、連動部材１１の摺接部１１ａが蓋部材１２から外れるため、給電端子８，８がねじりコイル部８ｂ，８ｂの付勢力によって連動部材１１を押し上げながら矢印Ａ方向に回動し、図３および図４に示すように、ＢＨＴ１の受電端子３，３に接触する。このとき、連動部材１１の摺接部１１ａは、ＢＨＴ１の溝１５内に入り、給電端子８，８がねじりコイル部８ｂ，８ｂの付勢力によって受電端子３，３に適度な接触圧でもって接触できるようにする。これにより、充電装置４により、ＢＨＴ１の二次電池が充電される。
【００２９】
二次電池の充電が終了すると、ＢＨＴ１を受け入れ部６から抜き出す。すると、蓋部材１２が圧縮コイルばね１３の付勢力によって上方にスライドし、開口部７を閉じこのとき、蓋部材１２が上方へ移動し始めると、蓋部材１２の開口部１４の下端部が連動部材１１の山形の摺接部１１ａの下片部に摺接して当該摺接部１１ａを押し下げながら上方にスライドするようになるため、連動部材１１が矢印Ｂ方向に回動して本体５内に没するようになる。この連動部材１１の矢印Ｂ方向への回動に伴い、押圧部１１ｃが一対の給電端子８，８の係止部８ｄ，８ｄを押し下げるようになって一対の給電端子８，８を矢印Ｂ方向に回動させる。
【００３０】
以上のように、連動部材１１は、蓋部材１２を給電端子８，８に接触させることなく、蓋部材１２の上下方向のスライド（開閉動作）に連動して給電端子８，８を本体５内に没入させたり、本体５から受け入れ部６内に突出させたりする。これにより、蓋部材１２が直接給電端子８，８の接触部８ａ，８ａに接触して出没させる場合と異なり、給電端子８，８に無理な力が作用する恐れがないので、変形して受電端子３，３との接触に支障をきたすといった不具合を生ずることがない。
【００３１】
［第２の実施形態］
図７〜図９は、本発明の第２の実施形態を示す。この第２の実施形態を以下に説明するが、図７〜図９には、上記第１の実施形態で説明したと同一部分には同一符号を付して示して詳細な説明は省略することとし、異なる部分のみを説明する。
【００３２】
充電装置４の本体５の受け入れ部１６は、有底の凹部ではなく、底のない筒状のものとして形成されている。この受け入れ部１６の後面には、給電端子８，８を受け入れ部１６内に突出させるための開口部１７が形成されている。本体５内には、開口部１７を開閉する防塵装置としての蓋部材１８が上下動可能に設けられている。
【００３３】
この蓋部材１８と本体５の底部との間には、圧縮コイルばね１３が設けられている。そして、この圧縮コイルばね１３の付勢力によって蓋部材１８は、常には押し上げられた位置に保持され、給電端子８，８を受け入れ部１６内に突出させるための開口部１７を実質的に閉じた状態にある。なお、開口部１７の下半部が閉じられていない理由は、蓋部材１８の下方への移動を許容するためである。
【００３４】
また、蓋部材１８の下端部には、ＢＨＴ１を受ける台部１８ａが突設されている。そして、ＢＨＴ１が台部１８ａに乗せられると、蓋部材１８は、図８および図９に示すように、ＢＨＴ１の重量により圧縮コイルばね１３の付勢力に抗して下方に移動し、開口部１７を開くようになっている。
【００３５】
蓋部材１８には、給電端子８，８のねじりコイル部８ｂ，８ｂの巻き端８ｃ，８ｃに接する第１のカム部１９と、給電端子８，８の接触部８ａ，８ａに接する第２のカム部２０とが形成されている。第１のカム部１９は、蓋部材１８が下方に移動（開動作）するとき、巻き端８ｃ，８ｃを下方に押して給電端子８，８を矢印Ａ方向に回動させる。これにより、給電端子８，８は、接点部８ａ，８ａをＢＨＴ１の受電端子３，３に接触させる。
【００３６】
一方、第２のカム部２０は、ＢＨＴ１が受け入れ部１６から抜き出されることにより、蓋部材１８が図９の位置から上方に移動（閉動作）すると、接点部８ａ，８ａを上方に押して給電端子８，８を矢印Ｂ方向に回動させる。これにより、給電端子８，８は、本体５内に没入し、その後、開口部１７が蓋部材１８により閉じられることによって給電端子８，８に塵埃が付着しないようにする。
このように本実施形態によれば、給電端子８，８に無理な力を作用させることなく、受け入れ部１８に対して出没させることができる。
【００３７】
［第３の実施形態］
図１０〜図１２は、本発明の第３の実施形態を示す。この第３の実施形態を以下に説明するが、図１０〜図１２には、上記第１の実施形態で説明したと同一部分には同一符号を付して示し、詳細な説明は省略する。
この実施形態においては、第１の実施形態の連動部材１１は設けられていない。また、防塵装置としての蓋部材２１は、上下方向へのスライドではなく、受け入れ部６の開口部７のやや上方の部分に設けられた軸２２によって上下方向に回動可能に支持されている。
【００３８】
軸２２には、付勢手段としてのねじりコイルばね２３が嵌合されていて、その両巻き端が本体側５と蓋部材２１側とに連結されている。これにより、蓋部材２１は、上方向である矢印Ｃ方向に回動付勢され、常には、図１０に示すように、本体５の開口部７を上方から覆っている。このため、一対の給電端子８，８の接点部８ａ，８ａは、常には、開口部７から受け入れ部６内に突出した状態にある。
【００３９】
受け入れ部６にＢＨＴ１が挿入されると、蓋部材２１がＢＨＴ１の重量を受けて軸２２を中心に下方である矢印Ｄ方向に回動する。この蓋部材２１の回動により、一対の給電端子８，８は、蓋部材２１に形成された一対のスリット２４，２４を通って蓋部材２１の表側に突出してゆく。蓋部材２１の下方への回動は、蓋部材２１が受け入れ部６の後面に重なることによって止る。このとき、スリット２４，２４は、開口部７に連なった状態となり、給電端子８，８の接点部８ａ，８ａは、受け入れ部６内に所要高さ突出した状態となる。
【００４０】
蓋部材２１の表側には、掃除部材としての回転自在なブラシ２５が一対のスリット２４，２４のそれぞれについて２個ずつ配置されている。このブラシ２５の毛２５ａ部分は、スリット２４を覆っており、上述のようにして給電端子８の接点部８ａがスリット２４を通って蓋部材２１の表側に突出する際、その接点部８ａがブラシ２５の毛２５ａ部分に接触してブラシ２５を矢印ＥおよびＦ方向に回転させながら毛２５ａ部分から突出する。
【００４１】
上記構成において、ＢＨＴ１を受け入れ部６内に挿入すると、その重量を受けて蓋部材２１が受け入れ部６の後面に重なる位置までねじりコイルばね２３の付勢力に抗して下方に回動する。この蓋部材２１の下方への回動途中で、一対の給電端子８，８の接点部８ａ，８ａがスリット２４，２４からブラシ２５の毛２５ａ群を通って蓋部材２１の表側に突出する。このとき、接点部８ａ，８ａは、ブラシ２５によって擦られて錆などが除去される。そして、ブラシ２５の毛２５ａ群から突出した給電端子８，８の接点部８ａ，８ａは、受け入れ部６に挿入されたＢＨＴ１の受電端子３，３に接して給電を行う。
【００４２】
このように本実施形態によれば、ＢＨＴ１の非充電時には、蓋部材２１が開口部７を上方から覆う位置に保持されるため、空気中の塵埃などは蓋部材２１によって受けられ、給電端子８，８に付着することが防止される。
また、ブラシ２５により給電端子８，８の接点部８ａ，８ａの掃除を行うことができるので、錆などの付着による接点部８ａ，８ａの接触抵抗の増大化を防止することができる。
【００４３】
［第４の実施形態］
図１３〜図１５は、本発明の第３の実施形態を示す。この第３の実施形態を以下に説明するが、図１３〜図１５には、上記第１の実施形態で説明したと同一部分には同一符号を付して示し、詳細な説明は省略する。
この実施形態においては、一対の給電端子８，８は、常には、ねじりコイル部８ｂ，８ｂの付勢力によって、図１３に示すように、接点部８ａ，８ａを開口部７から突出させた位置に保持されている。防塵部材としての蓋部材２６は、円弧面状に形成され、本体５内に設けた軸２７によって上下方向に回動可能に支持されている。軸２７には、付勢手段としてのねじりコイルばね２８が設けられ、このねじりコイルばね２８の両巻き端は、本体５および蓋部材２６に掛けられている。そして、蓋部材２６は、このねじりコイルばね２８の付勢力により上方である矢印Ｇ方向に回動付勢され、常には、図１３に示すように開口部７を閉じた位置に保持されている。このとき、蓋部材２６は、円弧面状をなしていることにより、給電端子８，８の接点部８ａ，８ａとは非接触の状態にある。
【００４４】
ＢＨＴ１を受け入れ部６内に挿入すると、蓋部材２６は、上端部の台部２６ａによってＢＨＴ１を受ける。そして、ＢＨＴ１の重量によって、図１４に示すように、蓋部材２６がねじりコイルばね２８の付勢力に抗して下方である矢印Ｈ方向に回動し、開口部７を開く。このときも、蓋部材２６は、給電端子８，８の接点部８ａ，８ａとは非接触の状態で下方に回動する。図１５に示すように、開口部７が開かれると、給電端子８，８が露出して接点部８ａ，８ａをＢＨＴ１の受電端子３，３に接触させる。
【００４５】
ＢＨＴ１を受け入れ部６から抜き出すと、蓋部材２６がねじりコイルばね２８の付勢力によって上方である矢印Ｇ方向に回動し、開口部７を閉じる。このときも、蓋部材２６は、給電端子８，８の接点部８ａ，８ａとは非接触の状態で上方に回動する。
このように本実施例によれば、給電端子８，８の接点部８ａ，８ａは、回動する蓋部材２６とは非接触であるので、無理な力を受ける恐れがない。
【００４６】
［他の実施形態］
図１〜図６の第１の実施形態において、圧縮コイルばね１３を省略し、蓋部材１２を使用者の手操作によって上下スライドさせる構成であっても良い。また、蓋部材１２は、着脱するものであっても良い（「着」で開口部７の閉じ、「脱」で開口部７の開く）。
図７〜図９の第２の実施形態において、圧縮コイルばね１３を省略し、蓋部材１８を使用者の手操作によって上下動させる構成であっても良い。
図１０〜図１２の第３の実施形態において、蓋部材２１の下端部と受け入れ部６の周囲面とを塞ぐ蛇腹状の覆い部材を設けるようにしても良い。ブラシ２５は、切れ目を有したゴム板などに代えても良い。
図１３〜図１５の第４の実施形態において、ねじりコイルばね２８を省略し、蓋部材２６を使用者の手操作によって回動させる構成であっても良い。
【図面の簡単な説明】
【００４７】
【図１】本発明の第１の実施形態を非充電時の状態で示す断面図
【図２】非充電時の状態で示す要部の拡大断面図
【図３】充電時の状態で示す充電装置の断面図
【図４】充電時の状態で示す要部の拡大断面図
【図５】要部の分解斜視図
【図６】ＢＨＴの裏側を示す斜視図
【図７】本発明の第２の実施形態を非充電時の状態で示す断面図
【図８】ＢＨＴを受け入れ部に挿入してゆく途中を示す断面図
【図９】充電時の状態で示す断面図
【図１０】本発明の第３の実施形態を非充電時の状態で示す断面図
【図１１】充電時の状態で示す断面図
【図１２】要部の分解斜視図
【図１３】本発明の第４の実施形態を非充電時の状態で示す断面図
【図１４】ＢＨＴを受け入れ部に挿入してゆく途中を示す断面図
【図１５】充電時の状態で示す断面図
【符号の説明】
【００４８】
図面中、１はＢＨＴ（携帯機器）、３は受電端子、４は充電装置、５は本体、６は受け入れ部（装着部）、７は開口部、８は給電端子，８ａは接点部、１１は連動部材、１２は蓋部材（防塵装置）、１３は圧縮コイルばね（付勢手段）、１４は開口部、１６は受け入れ部（装着部）、１７は開口部、１８は蓋部材（防塵装置）、１９は第１のカム部、２０は第２のカム部、２１は蓋部材（防塵装置）、２３はねじりコイルばね（付勢手段）、２４はスリット、２５はブラシ（掃除部材）、２６は蓋部材（防塵装置）、２８はねじりコイルばね（付勢手段）である。
【図１】
2006325320.tif 000003
【図２】
2006325320.tif 000004
【図３】
2006325320.tif 000005
【図４】
2006325320.tif 000006
【図５】
2006325320.tif 000007
【図６】
2006325320.tif 000008
【図７】
2006325320.tif 000009
【図８】
2006325320.tif 000010
【図９】
2006325320.tif 000011
【図１０】
2006325320.tif 000012
【図１１】
2006325320.tif 000013
【図１２】
2006325320.tif 000014
【図１３】
2006325320.tif 000015
【図１４】
2006325320.tif 000016
【図１５】
2006325320.tif 000017